(57)【要約】【課題】矯正装置と溶接ワイヤとの摩擦を小さくすることにより、溶接ワイヤを弱い力でもスムーズに送ることができ溶接不良を防止することができるアーク溶接用ワイヤ矯正装置を提供すること。【解決手段】回動自在の３個の球体を有し、該３個の球体が、溶接ワイヤの挿通方向に対して垂直で、かつ３個の球体の中心と各球体の中心を結ぶ線が１２０°となるように３個の球体を本体内に保持した。３個の球体は一対の保持部材と前記本体の内面にて保持されている【選択図】図１
2019123010.tif 000002
【特許請求の範囲】
【請求項１】
回動自在の３個の球体を有し、該３個の球体が、溶接ワイヤの挿通方向に対して垂直で、かつ３個の球体の中心と各球体の中心を結ぶ線が１２０°となるように３個の球体を本体内に保持したことを特徴とするアーク溶接用ワイヤ矯正装置。
【請求項２】
前記３個の球体は、一対の保持部材と前記本体の内面にて保持したことを特徴とする請求項１記載のアーク溶接用ワイヤ矯正装置。
【発明の詳細な説明】
【技術分野】
【０００１】  本発明は、アーク溶接に用いられる溶接ワイヤの曲り癖を矯正するためのアーク溶接用ワイヤ矯正装置に関するものである。
【背景技術】
【０００２】  アーク溶接は、図３に示すように、ワイヤリールやワイヤパック５１から送給される溶接用ワイヤ５２を送給装置５３によって、アーク溶接のトーチ５４に送給し、トーチ５４に取付けられたコンタクトチップ５５に挿通して、溶接箇所に送給される。この際溶接用ワイヤ５２はコンタクトチップ５５と接触してコンタクトチップ５５から給電され、溶接するものであるが、溶接用ワイヤ５２のバラツキのある不規則な曲り癖によって溶接用ワイヤ５２をスムーズに送給できないため、送給装置５３の前に矯正装置５６によって、溶接用ワイヤ５２の巻癖を適正に矯正することによりスムーズに溶接用ワイヤ５２を送給していた。【０００３】  従来、溶接用ワイヤの矯正装置として、図７に示すように、隣接して配設され、回転自在の２個の受けローラー５７、５７と該２個の受けローラー５７、５７の中間位置に、２個の受けローラー５７、５７と対向して配設され、回転自在な加圧ローラー５８とからなり、溶接ワイヤ５２を受けローラー５７、５７と加圧ローラー５８との間を通って送給することによって溶接ワイヤ５２の曲り癖を矯正していた。（例えば、特許文献１を参照）
【先行技術文献】
【特許文献】
【０００４】
【特許文献１】特開２０１１−１７７７４４号公報
【発明の概要】
【発明が解決しようとする課題】
【０００５】  前記のものでは、溶接ワイヤと受けローラー及び溶接ワイヤと加圧ローラーとの摩擦及び受けローラー、加圧ローラーとその回転軸との摩擦等によって、溶接ワイヤを強い力で送らないと、溶接ワイヤの送りがスムーズに行かず溶接不良になる恐れがあるという問題があった。【０００６】  本発明は、前記の問題を解決し、矯正装置と溶接ワイヤとの摩擦を小さくすることにより、溶接ワイヤを弱い力でもスムーズに送ることができ溶接不良を防止することができるアーク溶接用ワイヤ矯正装置を提供することを目的になされたものである。
【課題を解決するための手段】
【０００７】  上記課題を解決するためになされた本発明のアーク溶接用ワイヤ矯正装置は、回動自在の３個の球体を有し、該３個の球体が、溶接ワイヤの挿通方向に対して垂直で、かつ３個の球体の中心と各球体の中心を結ぶ線が１２０°となるように３個の球体を本体内に保持したことを特徴とするものである。【０００８】  前記３個の球体は、一対の保持部材と前記本体の内面にて保持したものであることが好ましく、これを請求項２に係る発明とする。
【発明の効果】
【０００９】  請求項１の発明では、回動自在の３個の球体を有し、該３個の球体が、溶接ワイヤの挿通方向に対して垂直で、かつ３個の球体の中心と各球体の中心を結ぶ線が１２０°となるように３個の球体を本体内に保持したことにより３個の球体は自由に回動するので、溶接ワイヤと３個の球体との摩擦が小さいので、溶接ワイヤを弱い力でもスムーズに送ることができ溶接不良を防止することができるという効果がある。【００１０】  請求項２の発明では、前記３個の球体は一対の保持部材と前記本体の内面にて保持したことにより、３個の球体の保持が簡単かつ容易にできるという効果がある。
【図面の簡単な説明】
【００１１】
【図１】本発明の実施の形態を示す断面正面図である。
【図２】図１の断面側面図である。
【図３】アーク溶接の説明図である。
【図４】従来例を示す断面正面図である。
【発明を実施するための形態】
【００１２】  以下、本発明の好ましい実施の形態について、図１と図２に基づいて説明する。  １は器体２と蓋３とから構成された本体あり、器体２は円筒形で両端が開放されており、蓋３は、器体２の外形と略同一径の頭部３ａと頭部３ａに続く、本体１の内径と略同一径の脚部３ｂとからなり、中心部軸方向に溶接ワイヤ４の挿通孔３ｃが形成され、器体２の開放端に蓋３の脚部３ｂを嵌入して、器体２の両端開放端を塞いでいる。
【００１３】  ５は、３個の真円の球体６と、外形が器体２の内径より僅かに小径で、３個の球体６を挟持する保持部材７、８とから構成された矯正部であり、一方側（図２で右側）の保持部材７は、中心に溶接ワイヤ４の挿通孔７ａを形成するとともに、他方側（図２で左側）となる内面に、中心から３方向に各々の中心線Ａ、Ｂ、Ｃが１２０℃の角度となる球体保持溝７ｂを形成している。また他方側の保持部材８は中心部軸方向に溶接ワイヤ４の挿通孔８ａを形成するとともに一方側の保持部材７に対応する内面に３個の球体６の保持部８ｂを形成し、３個の球体６を一方側の保持部材７の球体保持溝７ｂと他方側の保持部材８の保持部８ａと器体２の内面とで保持し、また３個の球体６は、中心部軸方向に溶接ワイヤ４の挿通部９を形成し、３個の球体６の中心（溶接ワイヤ４の挿通部９の中心）と各球体６の中心を結ぶ線が、前記球体保持溝７ｂの中心線Ａ、Ｂ、Ｃと同じとなるように回動自在に保持されている。
【００１４】  即ち、前記の実施の形態では、溶接ワイヤ４は他方側の蓋３の挿通孔３ｃから３個の球体６の中心部の挿通部９を通って一方側の蓋３の挿通孔３ｃへ直線状に挿通されるとともに、３個の球体６は溶接ワイヤ４の挿通方向に対して垂直面になるよう保持されている。
【００１５】  １０は一方側の保持部材７の外面と一方側の蓋３の内面間に介装されたコイルばねであり、コイルばね９は矯正部５を常に他方側の蓋３に押付けるように付勢している。
【００１６】  次に、本発明の矯正装置による溶接ワイヤの矯正方法を説明すると、溶接ワイヤ４を一方側の蓋３の挿通孔３ｃから、他方側の保持部材８の挿通孔８ａ、３個の球体６の中心の挿通部９、一方側の保持部材７の挿通部７ａ、コイルばね９の軸方向中心部を介して他方側の蓋３の挿通孔３ｃを挿通させ、送給装置によりトーチに送球する。この時、溶接ワイヤ４は、回動自在に保持された３個の球体６の中心部の挿通部９を通るときに、３個の球体によって、曲り癖を矯正される。
【００１７】  以上のように、回動自在の３個の球体を有し、該３個の球体が、溶接ワイヤの挿通方向に対して垂直で、かつ３個の球体の中心と各球体の中心を結ぶ線が１２０°となるように３個の球体を本体内に保持したので、３個の球体は回転方向を規制されることもなく自由に回動できるので、溶接ワイヤと３個の球体との摩擦が小さいので、溶接ワイヤを弱い力でもスムーズに送ることができ溶接不良を防止することができる。
【００１８】  また、３個の球体は一対の保持部材と前記本体の内面にて保持しているので、３個の球体の保持が簡単かつ容易にできる
【符号の説明】
【００１９】  １  器体  ２  本体  ３  蓋  ３ａ  頭部  ３ｂ  脚部  ３ｃ  挿通孔  ４  溶接ワイヤ  ５  矯正部  ６  球体  ７  一方側の保持部材  ７ａ  挿通孔  ７ｂ  球体保持溝  ８  他方側の保持部材  ８ａ  挿通孔  ８ｂ  保持部  ９  挿通部１０  コイルばねＡ、Ｂ、Ｃ  中心線
【図１】
2019123010.tif 000003
【図２】
2019123010.tif 000004
【図３】
2019123010.tif 000005
【図４】
2019123010.tif 000006